(57)【特許請求の範囲】
【請求項１】
被写体輝度を測定する測光手段からの測光信号に応じて絞りを切り替える絞り切り替え手段とともに用いられ、シャッタボタンが押圧操作されることによって、シャッタレバーをバネ付勢によりチャージ位置からレリーズ位置に向かって移動させ、その移動の間にシャッタ羽根を蹴飛ばして開閉させる蹴飛ばし方式で動作し、写真フイルムが予め装填されたレンズ付きフイルムユニットに用いられるシャッタ装置において、
シャッタボタンの押圧によって拘束が解除され、前記シャッタレバーをチャージ位置に保持しながら回転し、一定位置まで回転することによってシャッタレバーの保持を解除してレリーズ位置への移動を許容するディレイレバーと、
前記測光手段を作動させる測光スイッチと、
ディレイレバーの回転に連動し、ディレイレバーが前記一定位置まで回転する前に測光スイッチをオンするスイッチ押圧部材と、
ディレイレバーの回転速度を調節し、スイッチ押圧部材が測光スイッチをオンしてから前記絞り切替手段によって絞りの切り替えが完了するまでの間、ディレイレバーが一定位置まで回転することを阻止する調速機構とを備えたことを特徴とするレンズ付きフイルムユニットのシャッタ装置。
【請求項２】
前記調速機構は、ディレイレバーに形成されたギヤと噛み合うガンギ車と、このガンギ車に係合してガンギ車の回転速度を調節するアンクルとからなるガバナ機構であることを特徴とする請求項１記載のレンズ付きフイルムユニットのシャッタ装置。
【請求項３】
前記スイッチ押圧部材は、前記ガンギ車に一体に取り付けられていることを特徴とする請求項２記載のレンズ付きフイルムユニットのシャッタ装置。
【請求項４】
前記測光スイッチがオンしてから、前記ディレイレバーが前記一定位置に到達するまでの時間を１０ｍｓ〜６０ｍｓとしたことを特徴とする請求項１から３いずれか一項記載のレンズ付きフイルムユニットのシャッタ装置。
【発明の詳細な説明】
【０００１】
【発明の属する技術分野】
本発明は、絞りの切り替えに必要な時間を確保するための遅延機構を備えたレンズ付きフイルムユニットのシャッタ装置に関するものである。
【０００２】
【従来の技術】
簡易型カメラの一種として、撮影レンズやシャッタ機構などの簡単な撮影機構が組み込まれ、写真フイルムが予め装填された、レンズ付きフイルムユニットが本出願人から各種販売されており、ユーザーは良い画質のプリント写真を手軽に撮ることが可能である。このレンズ付きフイルムユニットでは、構造を簡素化してコストの削減を図るため、固定の絞り開口が用いられている。このため、撮影レンズのＦ値は一定となり、撮影条件によっては露出オーバー又は露出アンダーが発生する可能性がある。
【０００３】
この問題は、被写体の光量に応じて絞り径を変化させる機構を組み込むことにより解決できるが、複雑な構造ではコスト高につながるため、レンズ付きフイルムユニットのような簡易なカメラには導入できない。そこで、特開平９−５８１７号公報では、固定絞り開口よりも小径の開口が形成された絞り板と、被写体光量を測定し、その光量が所定値以上である時に切り替え信号を出力する測光手段と、切り替え信号の出力時に作動する電磁石を備えた自動露光制御装置が提案されている。この自動露光制御装置では、電磁石の作動時には絞り板と電磁石との間に磁気的吸引力が発生し、バネの付勢に抗して絞り板を移動させることで絞り径の切り替えを可能としている。
【０００４】
【発明が解決しようとする課題】
しかしながら、上記機構では、シャッタボタンの半押し時に測光を行い、全押し時に絞り板が切り替わる構造となっている。絞りの切り替えには１０ｍｓ程度の時間を必要とするため、絞りの切り替えが完了する前に露光が行われる場合がある。この場合、通常露光されるはずの外部光はその一部あるいは全部が遮られてしまうため、露出アンダーとなって画質が非常に悪くなったり、最悪の場合には、未露光の写真が生じる恐れがある。
【０００５】
また、上記機構を備えたレンズ付きフイルムユニットを鞄の中に入れて持ち運ぶ際、鞄の中にある凸形の物体がレンズ付きフイルムユニットのシャッタボタンと当接して、シャッタボタンが半押し状態となる場合がある。この場合、レンズ付きフイルムユニットは測光を行い、その結果によっては電磁石に通電される事態が生じる。このとき、電池が無駄に消耗されることとなり、電池の交換ができないレンズ付きフイルムユニットでは致命的な問題となる。さらに、長時間の通電により電磁石内部のソレノイドが過度に加熱されるため、発火の原因となるおそれがあり、安全上の面からも問題がある。
【０００６】
本発明は上記問題点を考慮してなされたもので、電池の無駄な消耗を防止しつつ、絞りの切り替えを確実に行うことができるレンズ付きフイルムユニットのシャッタ装置を提供することを目的とする。
【０００７】
【課題を解決するための手段】
本発明は、被写体輝度を測定する測光手段からの測光信号に応じて絞りを切り替える絞り切り替え手段とともに用いられ、シャッタボタンが押圧操作されることによって、シャッタレバーをバネ付勢によりチャージ位置からレリーズ位置に向かって移動させ、その移動の間にシャッタ羽根を蹴飛ばして開閉させる蹴飛ばし方式で動作し、写真フイルムが予め装填されたレンズ付きフイルムユニットに用いられるシャッタ装置において、に関し、シャッタボタンの押圧によって拘束が解除され、前記シャッタレバーをチャージ位置に保持しながら回転し、一定位置まで回転することによってシャッタレバーの保持を解除してレリーズ位置への移動を許容するディレイレバーと、前記測光手段を作動させる測光スイッチと、ディレイレバーの回転に連動し、ディレイレバーが前記一定位置まで回転する前に測光スイッチをオンするスイッチ押圧部材と、ディレイレバーの回転速度を調節し、スイッチ押圧部材が測光スイッチをオンしてから前記絞り切替手段によって絞りの切り替えが完了するまでの間、ディレイレバーが一定位置まで回転することを阻止する調速機構とを備えたことを特徴とする。
【０００８】
前記調速機構は、ディレイレバーに形成されたギヤと噛み合うガンギ車と、このガンギ車に係合してガンギ車の回転速度を調節するアンクルとからなるガバナ機構であることが好ましい。また、前記スイッチ押圧部材は、前記ガンギ車に一体に取り付けることが好ましい。前記測光スイッチがオンしてから、前記ディレイレバーが前記一定位置に到達するまでの時間を１０ｍｓ〜６０ｍｓとすることが好ましい。
【００１０】
【発明の実施の形態】
以下、簡易型カメラの一種である、レンズ付きフイルムユニットを例にして説明する。図１に示すように、レンズ付きフイルムユニットは、ユニット本体１０と、このユニット本体１０の外周に巻き付けられる外装ラベル１１からなる。ユニット本体１０の前面には、撮影レンズ１２、ファインダ１３、ストロボ発光部１４、ストロボスイッチ１５、受光素子１６が設けられている。ユニット本体１０の上部には、シャッタボタン１７、フイルムカウンタ２０、充電完了確認窓２１が設けられ、背部には巻き上げノブ２２の一部が外部に露呈している。
【００１１】
図２に示すように、ユニット本体１０は、本体基部２３、露光ユニット２４、ストロボユニット２５、カートリッジ本体２６、写真フイルム２７、及びこれらを覆う前カバー３０、後カバー３１から構成されている。本体基部２３は、写真フイルム２７の露光範囲を決定する露光枠３２と、カートリッジ本体２６を収納するカートリッジ収納室３３と、このカートリッジ収納室３３から引き出され、ロール状に巻かれた写真フイルム２７を収納する写真フイルム収納室３４とで構成される。また、カートリッジ収納室３４の上部には巻き上げノブ２２が取り付けられている。巻き上げノブ２２は、その下部に設けられた軸（図示せず）が、カートリッジ本体２６に形成されたスプール２６ａと係合しており、写真フイルム２７の一端がスプール２６ａに形成されたスリットに挟み込まれて保持されている。このため、巻き上げノブ２２が図中反時計方向に回転すると、スプール２６ａも同方向に回転し、これとともに写真フイルム２７が図中左方向へと移動する。
【００１２】
前カバー３０は、本体基部２３の前面に設けられており、撮影レンズ１２、ファインダ１３などを外部に露呈する開口が形成されている。後カバー３１は本体基部２３の背後に設けられ、前カバー３０とともにユニット本体１０の内部を光密に覆っている。後カバー３１には底蓋３５ａ、３５ｂが一体に形成され、カートリッジ本体２６及び写真フイルム２７の底部を光密に覆っている。また、底蓋３５ａは撮影済みのカートリッジ本体２６を外部に取り出す際に開放される。
【００１３】
ストロボユニット２５は、露光ユニット２４の横に配置されており、ストロボ回路が形成されたプリント基板３６と、これに取り付けられたストロボ発光部１４、コンデンサ３７、電池３８、シンクロスイッチ４０から構成されている。ストロボ回路は、ストロボ発光部１４を発光させるのに必要な電荷をコンデンサへ充電させるための回路であり、プリント基板３６上に設けられた押しスイッチ４１を押し下げることによって作動する。ストロボスイッチ１５は、ストロボ回路のオン・オフを切り替えるために上下に移動自在に設けられている。ストロボスイッチ１５を図中上方へ移動させると、押しスイッチ４１が押し下げられ、ストロボ回路が作動してコンデンサ３７への充電が行われる。コンデンサ３７の充電が完了すると充電完了確認窓２１に設けられた発光ダイオードが点滅する。その後、シャッタボタン１７を押し下げると、シンクロスイッチ４０が閉じられ、ストロボ発光部１４からストロボ光が照射される。
【００１４】
露光ユニット２４は、本体基部２３の前面に取り付けられている。この露光ユニット２４は、図３に示すように、暗箱４２、シャッタカバー４３、シャッタ羽根４４、絞り板４５、電磁石４６から構成される。暗箱４２の中央部には、被写体光を露光枠３２内部へと導くシャッタ開口４７が形成され、暗箱４２の上部には、ファインダ１３やシャッタレバー５０などが取り付けられている。
【００１５】
シャッタ羽根４４は、暗箱４２の前方に設けられ、一端に設けられた開口を中心として回動する。シャッタ羽根４４は、バネ５１の付勢によって光軸を覆う位置に保持されている。シャッタボタン１７を押し下げるとシャッタ機構が作動し、シャッタレバー５０がシャッタ羽根４４の一端４４ａを蹴飛ばしてシャッタ開口４７を開放する。その後、バネ５１の付勢によってシャッタ羽根４４は元の位置に戻され、未露光の写真フイルム２７への露光が行われる。
【００１６】
絞り板４５は、暗箱４２とシャッタ羽根４４の間に配置され、開口４５ａを中心として回動可能である。絞り板４５には、小絞り開口５２と大絞り開口５３が形成されており、図４（Ａ）に示すように、バネ５４の付勢によって大絞り開口５３が光軸上に挿入される第１の位置で保持される。なお、符号５５は、絞り板１８が第１の位置で停止するように、暗箱４２に設けられたストッパーである。
【００１７】
電磁石４６は、暗箱４２に取り付けられており、測光回路５６と接続している。測光回路５６は、受光素子１６とともにプリント基板３６（図２参照）に形成されており、測光スイッチ５７がオンされたときに、電池３８から流れる電流によって作動する。受光素子１６は、被写体光量の測定を行っており、測光回路５６は被写体光量が基準値以上であることを検出したときに、電磁石４６を通電させる。絞り板４５の一端には鉄片５８が取り付けられており、電磁石４６が通電すると、電磁石４６と鉄片５８との間に吸引力が発生し、絞り板４５を移動させる。その後、図４（Ｂ）に示すように、絞り板４５は小絞り開口５２が光軸上に挿入される第２の位置へと移動し、電磁石４６と鉄片５８とが接触して絞り板４５がこの第２の位置で停止する。
【００１８】
図５にシャッタ機構の構造を示す。シャッタ機構は、シャッタレバー５０、ディレイレバー６０、レリーズレバー６１、ガバナ機構６２、カム６３、スプロケット６４から構成される。カム６３は、軸６３ａを中心として回動自在となるように、暗箱４２の上部に取り付けられる。カム６３には、レリーズレバー６１をロックするための切り欠き開口６３ｂが形成された円板と、その下部に設けられた半円板状の凸部とが形成されている。この凸部は、上側の第１凸部６３ｃ、下側の第２凸部６３ｄの二段構成となっており、第１凸部６３ｃはシャッタレバー５０と当接し、第２凸部６３ｄはディレイレバー６０と当接する。カム６３の軸６３ａは、開口６５の下部に配置されたスプロケット６４に取り付けられている。また、写真フイルム２７に形成されているパーフォレーション２７ａ（図２参照）がスプロケット６４と噛み合っているため、巻き上げノブ２２を巻き上げて写真フイルム２７を給送させると、スプロケット６４とカム６３とが図中反時計方向に回転する。
【００１９】
シャッタレバー５０は、暗箱４２に設けられた軸６５によって、回動自在となるように設けられている。シャッタレバー５０の上部に設けられたトーションバネ６６の一端はシャッタレバーに当接しており、他端は暗箱４２に当接している。シャッタレバー５０は、シャッタ羽根４４の先端４４ａを蹴飛ばすためのシャッタ突起５０ａ、カム６３と当接するフック５０ｂ、ディレイレバー６０と当接する突起５０ｃから構成されている。カム６３が図中反時計方向に回転すると、第１凸部６３ｃとシャッタレバー５０のフック５０ｂとが当接し、トーションバネ６６の付勢に抗してシャッタレバー５０が図中時計方向に回転して、シャッタチャージが行われる。
【００２０】
ディレイレバー６０は、回動自在となるように暗箱４２の上部に設けられ、ガバナ機構６２とともに遅延機構を構成する。ディレイレバー６０の上部には、トーションバネ６８とリベット７０が取り付けられている。ディレイレバー６０の一端にはギヤ６０ａが形成されており、このギヤ６０ａはガンキ車（後述７３）と噛み合っている。ディレイレバー６０の上部には、カム６３の凸部６３ｃと当接する突起６０ｂと、レリーズレバー６１を保持する係止部６０ｃとが設けられている。トーションバネ６８の一端はディレイレバー６０の突起６０ｂと当接しており、他端は暗箱４２に当接している。カム６３が図中反時計方向に回転したときに第２凸部６３ｄが突起６０ｂを押すため、ディレイレバー６０がトーションバネ６８の付勢に抗して図中時計方向に回転する。
【００２１】
レリーズレバー６１は、レリーズ部６１ａ、係止爪６１ｂ、巻止め部６１ｃ、突起６１ｄから構成され、暗箱４２に設けられた軸７１によって、回動自在となっている。レリーズレバー６１の下部に取り付けられたトーションバネ７２の一端はレリーズ部６１ａと当接しており、他端は暗箱４２に当接している。レリーズレバー６１の突起６１ｄは、ディレイレバー６０の係止部６０ｃと当接するように配置されている。係止爪６１ｂは、カム６３の切り欠き開口６３ｂの中に入り込んでレリーズレバー６１を保持するために設けられている。巻止め部６１ｃは、レリーズレバー６１が図中時計方向に回転したときに巻き上げノブ２２の周囲に形成された溝と係合して、巻き上げノブ２２の回動をロックする。レリーズ部６１ａは、シャッタボタン１７と当接するように設けられており、シャッタボタン１７が押し下げられると、シャッタレバー６１がバネ７２の付勢に抗して図中反時計方向に回転し、係止爪６１ｂと切り欠き開口６３ｂとの係合が解除される。
【００２２】
ガバナ機構６２は、ガンキ車７３とアンクル７４から構成され、それぞれ暗箱４２の上部に配置される。ガンキ車７３の回転速度はアンクル７４によって調節されている。前述したように、ガンキ車７３はディレイレバー６０のギヤ６０ａと噛み合っており、ディレイレバー６０とともに回転する。したがって、ガバナ機構６２は、ディレイレバー６０の回転速度を調節する調速機構として動作する。また、ガンキ車７３には、扇形状のリブ７５が設けられている。このリブ７５は、ガンキ車７３が回転している間のみ、測光スイッチ５７と当接する。
【００２３】
図６にシャッタ機構の概略図を示す。同図は、シャッタチャージが行われる前の状態を示したものである。ディレイレバー６０は、ギヤ６０ａの右側の歯がガンキ車７３のギヤと噛み合うように、トーションバネ６８によって保持されている。この状態では、測光スイッチ５７はリブ７５から離れているため、測光は行われない。また、トーションバネ７２はレリーズレバー６１を図中時計方向に回転させる向きにチャージされている。ここで、トーションバネ７２はディレイレバー６０のトーションバネ６８よりも付勢が小さいものが用いられているため、レリーズレバー６１は、突起６１ｄがディレイレバー６０の係止部６０ｃと当接した状態で保持されている。
【００２４】
巻き上げノブ２２を回転させると、写真フイルム２７が給送され、スプロケット６４とともにカム６３が図中反時計方向に回転する。そして、カム６３の第１凸部６３ｃがシャッタレバー５０のフック５０ｂと当接し、図７に示すように、シャッタレバー５０が図中時計方向に回転してチャージされる。
【００２５】
カム６３をさらに回転させると、第２凸部６３ｄがディレイレバー６０の突起６０ｂと当接するようになり、シャッタレバー５０とともにディレイレバー６０が図中時計方向に回転する。そして、ディレイレバー６０が一定量回転すると、図８に示すように、ディレイレバー６０の係止部６０ｃとレリーズレバー６１の突起６１ｄとの係合が解除され、レリーズレバー６１が図中時計方向に回転して、係止爪６１ｂがカム６３と接触する。また、シャッタレバー５０のフック５０ｂがカム６３の第１凸部６３ｃから離れており、シャッタレバー５０は図中反時計方向に回転しようとする。しかし、シャッタレバー５０の突起５０ｃがディレイレバー６０の一端と当接しているため、トーションバネ６６がチャージされた状態でシャッタレバー５０が保持される。
【００２６】
さらに巻き上げノブ２２を回転させると、カム６３は反時計方向に回転する。そして、写真フイルム２７の一コマ巻き上げが完了したとき、図９に示すように、レリーズレバー６１の係止爪６１ｂが切り欠き開口６３ｂの内部に入り込んでレリーズレバー６１が保持される。このとき、レリーズレバー６１が図中時計方向に回転し、巻止め部６１ｃが巻き上げノブ２２の周囲に設けられた歯に噛み合って、巻き上げノブ２２の回動がロックされる。レリーズレバー６１の突起６１ｄが係止部６０ｃの回転軌道上に挿入されるため、ディレイレバー６０は係止部６０ｃがレリーズレバー６１の突起６１ｄと当接した状態で保持される。以上の動作により、シャッタチャージが行われる。
【００２７】
シャッタチャージされた状態でシャッタボタン１７が押し下げられると、レリーズレバー６１のレリーズ部６１ａがシャッタボタン１７と当接し、レリーズレバー６１がバネ７２の付勢に抗して図中反時計方向に回転する。すると、図１０に示すように、レリーズレバー６１の突起６１ｄがディレイレバー６０の係止部６０ｃの回転軌道から退避するため、ディレイレバー６０が図中反時計方向に回転する。ディレイレバー６０の回転とともに、ガンキ車７３が図中時計方向に回転する。そして、ガンキ車７３に取り付けられたリブ７５が測光スイッチ５７と接触し、測光スイッチ５７がオンされ、測光回路５６が作動して絞りの切り替えが行われる。
【００２８】
このとき、シャッタレバー５０の突起５０ｃがディレイレバー６０の一端と接触したままであるため、シャッタレバー５０はチャージされた状態で保持されている。また、ディレイレバー６０は、シャッタレバー５０に取り付けられたトーションバネ６６の付勢による摩擦力を受けながら回転する。この摩擦力に対して十分な回転力を確保するために、ディレイレバー６０側のトーションバネ６８は、シャッタレバー５０側のトーションバネ６６よりも付勢が大きいものが用いられている。
【００２９】
ディレイレバー６０は、シャッタレバー５０を保持したまま回転を続ける。ディレイレバー６０が一定量回転したとき、ディレイレバー６０の端部がシャッタレバー５０の突起５０ｃの回転軌道から外れ、シャッタレバー５０は図中反時計方向に回転を始める。そして、シャッタ突起５０ａがシャッタ羽根４４の先端部４４ａを蹴飛ばし、写真フイルム２７への露光が行われる。その後もディレイレバー６０は回転を続け、リブ７５が測光スイッチ５７から離れたときにディレイレバー６０が停止して、シャッタ動作が終了する。
【００３０】
図１２は、シャッタ機構のタイミングチャートを示したものである。なお、絞り板４５の移動を考慮しているため、被写体光量が明るい場合を仮定している。時間Ｔ１にシャッタボタン１７が押し下げられると、まず、レリーズレバー６１のみが移動し、時間Ｔ２にディレイレバー６０を解除して停止する。その後、ディレイレバー６０が回転を始め、時間Ｔ３には測光スイッチ５７がオンされ、測光回路５６が作動する。そして、絞りの切り替えがなされた後、時間Ｔ４にシャッタレバー５０のロックが解除され、シャッタレバー５０が回転を始め、時間Ｔ４には、シャッタ羽根４４が回転して露光が行われる。時間Ｔ６に露光が終了した後、時間Ｔ７に測光スイッチ５７がオフされ、時間Ｔ８にディレイレバー６０の回転が停止してシャッタ動作が終了する。
【００３１】
ここで、ガバナ機構６２によって、ディレイレバー６０の回転速度を変化させることができるため、測光が開始される時間Ｔ３とシャッタレバー５０が回転を開始する時間Ｔ４の間隔を任意に調節することができる。この時間間隔（Ｔ４−Ｔ３）としては、１０ｍｓ〜６０ｍｓと設定することが望ましい。このとき、絞りの切り替えを行った後にシャッタ羽根４４が開かれるため、露出制御を確実に行うことができる。
【００３２】
さらに、上記構成のシャッタ装置では、ガバナ機構６２により制動を受ける部材はディレイレバー６０のみであり、シャッタレバー５０の回転自体には制動がかからないため、シャッタスピードに影響が及ぼされることはない。
【００３３】
本実施例の作用について説明する。撮影者は、巻き上げノブ２２を回転して、未露光の写真フイルム２７を露光枠３２の内部にセットする。巻き上げノブ２２の回転とともに、シャッタレバー５０、ディレイレバー６０がチャージされる。写真フイルム２７がちょうど一コマ分巻き上げられると、レリーズレバー６１が回転して巻止め部６１ｃが巻き上げノブ２２に当接し、巻き上げノブ２２をロックする。シャッタレバー５０がチャージされた状態では、シャッタボタン１７を押し下げない限り測光スイッチ５７がオンされないため、電池３８の無駄な消耗が抑えられる。
【００３４】
その後、被写体のフレーミングを行い、シャッタボタン１７を押し下げる。すると、ディレイレバー６０のロックが解除され、ディレイレバー６０は回動を開始する。その後、測光スイッチ５７がオンされ、測光回路５６が作動する。被写体光量が所定値以上のときは、測光回路５６から電磁石４６に電流が流れ、絞り板４５は第２の位置へと移動する。一方、被写体光量が所定値以下のときは、電磁石４６が通電されないため、絞り板４５はバネ５４の付勢によって第１の位置に保持される。このとき、シャッタレバー５０はディレイレバー６０によってロックされているため、絞り板４５の移動中に露光されることはない。
【００３５】
ディレイレバー６０が一定時間回転をすると、シャッタレバー５０のロックが解除され、シャッタレバー５０が移動を開始してシャッタ羽根４４を蹴飛ばし、写真フイルム２７への露光が行われる。その後、測光スイッチ５７がオフし、ディレイレバー６０が停止して撮影が終了する。
【００３６】
室内撮影のように、被写体の明るさが充分でない場合は、大絞り開口２４を通した露光となる。この場合では、露光量がアップするため、露出アンダーが生じることなく、適正露出でのプリント写真を得ることができる。一方、晴れた日での屋外撮影のように、被写体が非常に明るい場合では、小絞り開口２３を通した露光となる。小絞り開口２３により露光量が適正値へと低減されるため、露出オーバーが発生することなく撮影を行うことができる。
【００３７】
また、夜間等の非常に暗い状況下では、撮影者は、ストロボスイッチ１５をオンさせてストロボ撮影を行う。すると、ストロボ回路が作動して、コンデンサ３７への充電が行われる。充電完了確認窓２１の点滅により充電の完了を検知した後、シャッタボタン１７を押し下げて撮影を行う。この場合では、被写体光量は所定値以下となっており、電磁石４６には電流が流れないため、大絞り開口２４を通した露光となる。
【００３８】
【発明の効果】
以上説明したように、本発明によれば、シャッタボタンの押圧によって拘束が解除され、前記シャッタレバーをチャージ位置に保持しながら回転し、一定位置まで回転することによってシャッタレバーの保持を解除してレリーズ位置への移動を許容するディレイレバーと、一定位置までディレイレバーが回転する前にディレイレバーによってオンされ、測光手段を作動させる測光スイッチと、ディレイレバーの回転速度を調節し、測光スイッチがオンしてから前記絞り切替手段によって絞りの切り替えが完了するまでの間、ディレイレバーが一定位置まで回転することを阻止する調速機構とを備えたから、無駄な測光による電池の消耗を防止しつつ、絞りの切り替えを確実に行うことができる。
【図面の簡単な説明】
【図１】レンズ付きフイルムユニットの外観を示す斜視図である。
【図２】レンズ付きフイルムユニットの内部を示す斜視図である。
【図３】露出制御機構の内部構造を示す斜視図である。
【図４】露出制御装置の要部を示す概略図であり、（Ａ）は被写体が明るい場合、（Ｂ）は被写体が暗い場合について示したものである。
【図５】シャッタ機構の構造を示す斜視図である。
【図６】シャッタ機構の要部を示す概略図である。
【図７】シャッタレバーのみがチャージされた状態での、シャッタ機構の要部を示す概略図である。
【図８】ディレイレバーがチャージされた状態での、シャッタ機構の要部を示す概略図である。
【図９】シャッタチャージが完了したときのシャッタ機構の要部を示す概略図である。
【図１０】シャッタボタンを押し下げた直後での、シャッタ機構の要部を示す概略図である。
【図１１】露光時におけるシャッタ機構の要部を示す概略図である。
【図１２】シャッタ機構のタイミングチャートである。
【符号の説明】
１０  ユニット本体
２２  巻き上げノブ
４４  シャッタ羽根
５０  シャッタレバー
５７  測光スイッチ
６０  ディレイレバー
６１  レリーズレバー
６２  ガバナ機構
６３  カム
６４  スプロケット
６６，６８，７２  トーションバネ
【図１】
0003990080.tif 000002
【図２】
0003990080.tif 000003
【図３】
0003990080.tif 000004
【図４】
0003990080.tif 000005
【図５】
0003990080.tif 000006
【図６】
0003990080.tif 000007
【図７】
0003990080.tif 000008
【図８】
0003990080.tif 000009
【図９】
0003990080.tif 000010
【図１０】
0003990080.tif 000011
【図１１】
0003990080.tif 000012
【図１２】
0003990080.tif 000013